(57)【特許請求の範囲】
【請求項１】
無線復調信号の入力電圧と基準電圧との電圧レベルを比較しその結果を出力するコンパレータと、
複数の抵抗及びコンデンサから構成され様々な時定数を実現する時定数回路部と、
前記時定数回路部の出力を複数の入力から１つを選択して出力するセレクタ部と、
プリアンブルを所定期間前記時定数回路部に印加してコンデンサを充電し、ある抵抗及びコンデンサの出力を前記セレクタ部で選択して基準電圧として前記コンパレータに加え、プリアンブルに続く同期ワードでエラーを検出した場合は同期ワードをエラーしない時定数回路部の抵抗及びコンデンサの出力を前記セレクタ部で選択して前記コンパレータに加える様に制御する制御部
とを有することを特徴とするデータスライサ。
【請求項２】
前記制御部において、制御データのエラーを検出した場合は制御データをエラーしない前記時定数回路部の抵抗及びコンデンサの出力を前記セレクタで選択し前記コンパレータに入力する様に制御することを特徴とする請求項１記載のデータスライサ。
【請求項３】
前記制御部において、通話データのエラーを検出した場合は通話データをエラーしない前記時定数回路部の抵抗及びコンデンサの出力を前記セレクタで選択し前記コンパレータに入力する様に制御することを特徴とする請求項１または２記載のデータスライサ。
【請求項４】
基準電圧と入力電圧との電圧レベルを比較しその結果を出力するコンパレータと、
複数の抵抗及びコンデンサから構成され様々な時定数を実現する時定数回路部と、
入力電圧を選択的に前記抵抗及びコンデンサに印加させる前段スイッチ部と、
前記時定数回路部の複数の出力を選択的に前記コンパレータの一方の入力に印加させる後段スイッチ部と、
「０，１」の信号が連続するプリアンブルの期間のみ前記前段スイッチ部をＯＮにしておき、前記時定数回路部の抵抗及びコンデンサの出力が無線復調信号の振幅の中点に達するのに必要な「０，１」の信号の回数が最小のものに対応するスイッチのみ前記後段スイッチ部をＯＮにして該スイッチを介して出力される電圧を前記コンパレータに加え、「０，１」の信号がその必要回数を超えた場合は「０，１」の信号の回数に応じた前記時定数回路部の抵抗及びコンデンサの出力に対応するスイッチのみ前記後段スイッチ部をＯＮして
前記コンパレータに接続する様に制御する制御部
とを有することを特徴とするデータスライサ。
【請求項５】
「０，１」の信号の期間のみ前記前段スイッチ部をＯＮしておき、「０，１」の信号の期間が終了すると、前記後段スイッチ部をＯＮして、前記時定数回路部の全ての抵抗及びコンデンサの出力の平均値を前記コンパレータのもう一方の入力に接続する様に制御することを特徴とする請求項４に記載のデータスライサ。
【請求項６】
送信側の制御部との通信で送信する「０，１」の信号の回数を予め取り決めておき、送信されてくる「０，１」の信号の回数に応じた前記時定数回路部の抵抗及びコンデンサを前記コンパレータのもう一方の入力に接続する様に制御することを特徴とする請求項１から５のいずれかに記載のデータスライサ。
【請求項７】
基準電圧と入力電圧との電圧レベルを比較しその結果を出力するコンパレータの一方の入力に無線復調信号を印加し、
無線復調信号を、複数の抵抗及びコンデンサから構成され様々な時定数を実現する時定数回路部の入力に印加し、
セレクタ部により前記時定数回路部の出力を複数の入力から１つを選択して前記コンパレータの一方の入力に印加し、
プリアンブルが連続する期間に前記時定数回路部に充電し、ある抵抗及びコンデンサの出力を前記セレクタ部で選択して基準電圧として前記コンパレータに加え、プリアンブルに続く同期ワードでエラーを検出した場合は同期ワードをエラーしない前記時定数回路部の抵抗及びコンデンサの出力を前記セレクタ部で選択し前記コンパレータに加えることを特徴とするデータスライス方法。
【請求項８】
制御データのエラーを検出した場合は制御データをエラーしない前記時定数回路部の抵抗及びコンデンサの出力を前記セレクタで選択し前記コンパレータに入力することを特徴とする請求項７記載のデータスライス方法。
【請求項９】
通話データのエラーを検出した場合は通話データをエラーしない前記時定数回路部の抵抗及びコンデンサの出力を前記セレクタで選択し前記コンパレータに入力することを特徴とする請求項７または８記載のデータスライス方法。
【請求項１０】
無線復調信号をコンパレータの一方の入力に印加し、
複数の抵抗及びコンデンサから構成され様々な時定数を実現する時定数回路部にそれぞれ前記複数の抵抗及びコンデンサに対応する複数のスイッチから構成された前段スイッチ部により入力電圧を選択的に抵抗及びコンデンサに印加させ、
複数の抵抗及びコンデンサに対応する複数のスイッチから構成された後段スイッチ部により前記時定数回路部の複数の出力を選択的に前記コンパレータの一方の入力に印加させ、前記コンパレータの出力に基づき、「０，１」の信号が連続するプリアンブルの期間のみ前記前段スイッチ部をＯＮにしておき、前記時定数回路部の抵抗及びコンデンサの出力が無線復調信号の振幅の中点に達するのに必要な「０，１」の信号の回数が最小のものに対応するスイッチのみ前記後段スイッチ部をＯＮにして該スイッチを介して出力される電圧を前記コンパレータに加え、「０，１」の信号がその必要回数を超えた場合は「０，１」の信号の回数に応じた前記時定数回路部の抵抗及びコンデンサの出力に対応するスイッチのみ前記後段スイッチ部をＯＮして前記コンパレータの一方の入力に加えることを特徴とするデータスライス方法。
【請求項１１】
「０，１」の信号の期間のみ前記前段スイッチ部をＯＮしておき、「０，１」の信号の期間が終了すると前記後段スイッチ部をＯＮして、前記時定数回路部の全ての抵抗及びコンデンサの出力の平均値を前記コンパレータのもう一方の入力に接続する様に制御することを特徴とする請求項１０に記載のデータスライス方法。
【請求項１２】
送信側の制御部との通信で送信する「０，１」の信号の回数を予め取り決めておき、送信されてくる「０，１」の信号の回数に応じた前記時定数回路部の抵抗及びコンデンサを前記コンパレータのもう一方の入力に接続する様に制御することを特徴とする請求項７から１１のいずれかに記載のデータスライス方法。
【発明の詳細な説明】
【０００１】
【発明の属する技術分野】
本発明は、電波状況に応じてスライスレベルを可変して制御し最適なベースバンド信号を取り出すデータスライサに関するものである。
【０００２】
【従来の技術】
図１３は、従来のデータスライサのブロック図、図１４は同データスライサの無線復調信号、スライスレベル、ベースバンド信号、時定数との関係図、図１５は同データスライサの無線復調信号、スライスレベル、ベースバンド信号、時定数との関係図、図１６は同データスライサの無線復調信号、スライスレベル、ベースバンド信号、時定数との関係図である。
【０００３】
図１３に於いて、１は基準電圧と入力電圧との電圧レベルを比較し、その結果を出力するコンパレータ、２は抵抗、３はコンデンサ、４はスイッチ、５はコンパレータ１から出力されるベースバンド信号、６は無線復調信号、７はスイッチ４のＯＮ／ＯＦＦを制御する制御信号であり、抵抗２とコンデンサ３で時定数回路（積分回路）を構成している。８はスライスレベル（コンパレータ１の基準電圧）であり、コンパレータ１はスライスレベル８と無線復調信号６との電圧レベルを比較して結果をベースバンド信号５として出力する。前記の様に構成されたデータスライサについて以下解説を行う。
【０００４】
図１４、図１５、図１６は無線復調信号６、ベースバンド信号５、制御信号７と抵抗２、コンデンサ３で構成される時定数回路の関係を示したものであり、図１４は時定数が小の場合、図１５は時定数が中の場合、図１６は時定数が大の場合である。
【０００５】
図１３に於いて、無線復調信号６はコンパレータ１の（＋）側入力とスイッチ４に接続されている。制御信号７がイネーブルの場合にのみスイッチ４はＯＮ状態となり、ディセーブルの場合はスイッチ４はＯＦＦとなる。スイッチ４がＯＮ状態の時に抵抗２及びコンデンサ３で充電され、抵抗２及びコンデンサ３の出力がコンパレータ１の（−）側入力に接続されている。スイッチ４がＯＦＦ状態となるとスライスレベル８が固定され、この固定されたスライスレベル８より（＋）側入力（無線復調信号６）の電圧レベルが高いか低いかが判定され、その結果がベースバンド信号５として出力される。
【０００６】
抵抗２及びコンデンサ３の時定数が小となる様な値を取った場合は、図１４の様になる。時定数が小であるのでスイッチ４がＯＮされてから無線復調信号６の振幅の中点にすぐに到達するが、無線復調信号６の波形に追従しすぎる。その為、任意の点でスイッチ４をＯＦＦとすると、無線復調信号６の振幅の中点からずれた所にスライスレベル８が固定されてしまい、結果として出力されるベースバンド信号５のデューティ比が５０％ではなくなってしまう。デューティ比が５０％でないと、クロックの再生やデータの認識にエラーを生じ、結果として通話品質等が劣下する。
【０００７】
抵抗２及びコンデンサ３の時定数が大となる様な値を取った場合は、図１６の様になる。時定数が大であるのでスイッチ４がＯＮされてから無線復調信号６の振幅の中点にすぐに到達しないが、無線復調信号６の波形に殆ど追従しない。その為、任意の場所でスイッチ４をＯＦＦしても、無線復調信号６の振幅のほぼ中点の所にスライスレベル８が固定され、結果として出力されるベースバンド信号５のデューティ比がほぼ５０％となる。しかし、この場合は、無線復調信号６の振幅の中点に到達するのに十分な時間が必要であり、この時間以前にスイッチをＯＦＦすると、無線復調信号６の振幅の中点より低いレベルがスライスレベル８となるので、このときのベースバンド信号５のディーティ比は５０％とならない。抵抗２及びコンデンサ３の時定数が中となる様な値を取った場合は、図１５の様になる。時定数が中であるのでスイッチ４がＯＮされてから無線復調信号６の振幅の中点には、時定数小の場合より遅く時定数大の場合より早く到達し、無線復調信号６の波形には、時定数小の場合より追従せず時定数大の場合より追従する。通常は、ある程度の時間で無線復調信号６の振幅の中点に到達し、無線復調信号６の波形に追従し任意の点でスイッチ４をＯＦＦしてもスライスレベル８が中点に近いレベルとなる様に抵抗２及びコンデンサ３の値（時定数中）を決定している。
【０００８】
【発明が解決しようとする課題】
前記従来のデータスライサでは、電波状況により同期ワード、制御データ、通話データをエラーしたり、０１の連続信号（プリアンブル）が欠けてしまうと無線復調信号６の振幅の中点に到達せず、無線復調信号６の波形にある程度追従している為、ベースバンド信号５はディーティ比５０％とならずに通話品質等が劣化する事になる。
【０００９】
従って、本発明は係る問題点を解消し、電波状況に応じてスライスレベル（時定数）を可変して制御し、最適なベースバンド信号を取り出せるデータスライサを提供することを目的とする。
【００１０】
【課題を解決するための手段】
請求項１記載の発明は、無線復調信号の入力電圧と基準電圧との電圧レベルを比較しその結果を出力するコンパレータと、複数の抵抗及びコンデンサから構成され様々な時定数を実現する時定数回路部と、前記時定数回路部の出力を複数の入力から１つを選択して出力するセレクタ部と、プリアンブルを所定期間前記時定数回路部に印加してコンデンサを充電し、ある抵抗及びコンデンサの出力を前記セレクタ部で選択して基準電圧として前記コンパレータに加え、プリアンブルに続く同期ワードでエラーを検出した場合は同期ワードをエラーしない時定数回路部の抵抗及びコンデンサの出力を前記セレクタ部で選択して前記コンパレータに加える様に制御する制御部とを有する。
【００１１】
請求項２記載の発明は、前記制御部に於いて、制御データのエラーを検出した場合は制御データをエラーしない前記時定数回路部の抵抗及びコンデンサの出力を前記セレクタで選択し前記コンパレータに入力する様に制御する。
【００１２】
請求項３記載の発明は、前記制御部に於いて、通話データのエラーを検出した場合は通話データをエラーしない前記時定数回路部の抵抗及びコンデンサの出力を前記セレクタで選択し前記コンパレータに入力する様に制御する。
【００１３】
請求項４記載の発明は、基準電圧と入力電圧との電圧レベルを比較しその結果を出力するコンパレータと、複数の抵抗及びコンデンサから構成され様々な時定数を実現する時定数回路部と、入力電圧を選択的に前記抵抗及びコンデンサに印加させる前段スイッチ部と、前記時定数回路部の複数の出力を選択的に前記コンパレータの一方の入力に印加させる後段スイッチ部と、「０，１」の信号が連続するプリアンブルの期間のみ前記前段スイッチ部をＯＮにしておき、前記時定数回路部の抵抗及びコンデンサの出力が無線復調信号の振幅の中点に達するのに必要な「０，１」の信号の回数が最小のものに対応するスイッチのみ前記後段スイッチ部をＯＮにして該スイッチを介して出力される電圧を前記コンパレータに加え、「０，１」の信号がその必要回数を超えた場合は「０，１」の信号の回数に応じた前記時定数回路部の抵抗及びコンデンサの出力に対応するスイッチのみ前記後段スイッチ部をＯＮして前記コンパレータに接続する様に制御する制御部とを有する。
【００１４】
請求項５記載の発明は、０１の信号の期間のみ前記前段スイッチ部をＯＮしておき、０１の信号の期間が終了すると、前記後段スイッチ部をＯＮして、前記時定数回路部の全ての抵抗及びコンデンサの出力の平均値を前記コンパレータのもう一方の入力に接続する様に制御する。
【００１５】
請求項６記載の発明は、送信側の制御部との通信で送信する０１の信号の回数を予め取り決めておき、送信されてくる０１の信号の回数に応じた前記時定数回路部の抵抗及びコンデンサを前記コンパレータのもう一方の入力に接続する様に制御する。
【００１６】
【発明の実施の形態】
請求項１に記載の発明は、時定数回路部、セレクタ部、制御部を有する事を特徴とするものであり、制御部に於いて同期ワードのエラーを検出した場合は同期ワードをエラーしない時定数回路部の抵抗及びコンデンサの出力をセレクタ部で選択しコンパレータに入力するので同期ワードの状況に応じてスライスレベルを可変して制御し、最適なベースバンド信号を取り出せる。
【００１７】
請求項２に記載の発明は、時定数回路部、セレクタ部、制御部を有する事を特徴とするものであり、制御部に於いて制御データのエラーを検出した場合は制御データをエラーしない時定数回路部の抵抗及びコンデンサの出力をセレクタ部で選択しコンパレータに入力するので制御データの状況に応じてスライスレベルを可変して制御し、最適なベースバンド信号を取り出せる。
【００１８】
請求項３に記載の発明は、時定数回路部、セレクタ部、制御部を有する事を特徴とするものであり、制御部に於いて通話データのエラーを検出した場合は通話データをエラーしない時定数回路部の抵抗及びコンデンサの出力をセレクタ部で選択しコンパレータに入力するので通話データの状況に応じてスライスレベルを可変して制御し、最適なベースバンド信号を取り出せる。
【００１９】
請求項４に記載の発明は、前段スイッチ部、時定数回路部、後段スイッチ部、制御部を有する事を特徴とするものであり、０１のデータが連続するプリアンブルの期間のみ前段スイッチ部をＯＮしておき、時定数回路部の抵抗及びコンデンサの出力が無線復調信号の振幅の中点に達するのに必要なプリアンブルのビット数が最小のものに対応するスイッチのみ後段スイッチ部をＯＮにしてコンパレータに接続し、プリアンブルがその必要ビット数を超えた場合は、プリアンブルのビット数に応じた時定数回路部の抵抗及びコンデンサの出力に対応するスイッチのみ後段スイッチ部をＯＮしてコンパレータに入力するのでプリアンブルのビット数に応じてスライスレベル（時定数）を可変して制御し、最適なベースバンド信号を取り出せる。
【００２０】
請求項５に記載の発明は、前段スイッチ部、時定数回路部、後段スイッチ部、制御部を有する事を特徴とするものであり、プリアンブルの期間のみ前段スイッチ部をＯＮしておき、プリアンブルの期間が終了すると、前段スイッチ部をＯＦＦし後段スイッチ部をＯＮして、時定数回路部の全ての抵抗及びコンデンサの出力の平均値（ほぼ無線復調信号の振幅の中点）をコンパレータのもう一方の入力に接続するのでプリアンブルのビット数に応じてスライスレベル（時定数）を可変して制御し、最適なベースバンド信号を取り出せる。
【００２１】
請求項６に記載の発明は、送信側の制御部との通信で送信するプリアンブルのビット数を予め取り決めておき、送信されてくるプリアンブルのビット数に応じた時定数回路部の抵抗及びコンデンサをコンパレータのもう一方の入力に接続する様に制御するプリアンブルのビット数に応じてスライスレベル（時定数）を可変して制御し、最適なベースバンド信号を取り出せる。
【００２２】
（実施の形態１）
図１は、本発明の実施の形態１のデータスライサのブロック図、図２〜図１１は同データスライサの無線復調信号、スライスレベル、ベースバンド信号、時定数との関係図である。
【００２３】
図１に於いて、１０１は基準電圧と入力電圧との電圧レベルを比較し、その結果を出力するコンパレータ、１０９，１１０，１１１は抵抗、１０６，１０７，１０８はコンデンサ、１０３は抵抗１０９，１１０，１１１及びコンデンサ１０６，１０７，１０８からなる時定数回路部、１０４はスイッチ、１０５はベースバンド１１２を判定しスイッチ１０４を制御する制御部、１１２はコンパレータ１０１から出力されるベースバンド、１１３は無線復調信号、１１５はスイッチ１０４のＯＮ／ＯＦＦを制御する為の制御信号、１１６，１１７，１１８はそれぞれ抵抗１０９及びコンデンサ１０６、抵抗１１０及びコンデンサ１０７、抵抗１１１及びコンデンサ１０８で構成される時定数回路からの出力であるスライスレベル、１０２はスライスレベル１１６，１１７，１１８からコンパレータ１０１の（−）側（コンパレータ１０１の基準電圧）に接続する信号を選択するセレクタ部、１１４はスライスレベル１１６，１１７，１１８のどの信号を選択するかを制御する為の制御信号である。
【００２４】
図２〜図１１は無線復調信号１１３、ベースバンド１１２、制御信号１１５、スライスレベル１１６，１１７，１１８と時定数の関係を示したものである。
【００２５】
前記の様に構成されたデータスライサについて、以下動作を説明する。まず、図２、図３、図４の説明を行う。１５１は無線復調信号１１３の振幅の中点の電圧レベルである。スイッチ１０４がＯＮ状態で無線復調信号１１３のかわりに電圧レベル１５１の電圧が抵抗１０９及びコンデンサ１０６に印加されるとスライスレベル１１６は曲線１５２の様なカーブを描いて電圧レベル１５１に到達する。ここで便宜上、０１データ（プリアンブル）の４回分の期間だけスイッチ１０４がＯＮされているとスライスレベル１１６が電圧レベル１５１に到達する様に抵抗１０９及びコンデンサ１０６の値（時定数小）が決められているとする。
【００２６】
同様に図５、図６、図７では、１５１は無線復調信号１１３の振幅の中点の電圧レベルである。スイッチ１０４がＯＮ状態で無線復調信号１１３のかわりに電圧レベル１５１の電圧が抵抗１１０及びコンデンサ１０７に印加されるとスライスレベル１１７は曲線１５２の様なカーブを描いて電圧レベル１５１に到達する。ここで便宜上、０１データ（プリアンブル）の６回分の期間だけスイッチ１０４がＯＮされているとスライスレベル１１７が電圧レベル１５１に到達する様に抵抗１１０及びコンデンサ１０７の値（時定数中）が決められているとする。
【００２７】
同様に図８、図９、図１０では、１５１は無線復調信号１１３の振幅の中点の電圧レベルである。スイッチ１０４がＯＮ状態で無線復調信号１１３のかわりに電圧レベル１５１の電圧が抵抗１１１及びコンデンサ１０８に印加されるとスライスレベル１１８は曲線１５２の様なカーブを描いて電圧レベル１５１に到達する。ここで便宜上、０１データ（プリアンブル）の８回分の期間だけスイッチ１０４がＯＮされているとスライスレベル１１８が電圧レベル１５１に到達する様に抵抗１１１及びコンデンサ１０８の値（時定数大）が決められているとする。
【００２８】
図２、図５、図８の様に、スイッチ１０４がＯＮされている期間の０１データ（プリアンブル）の０と１の比率が等しい場合はスライスレベル１１６，１１７，１１８は無線復調信号１１３の振幅の中点（電圧レベル１５１）となり、ベースバンド１１２は５０％デューティとなる。しかし、実際にはスイッチ１０４がＯＮされている期間の０１データ（プリアンブル）の０と１の比率は等しくないので図３、図６、図９の様にスライスレベル１１６，１１７，１１８は無線復調信号１１３の振幅の中点（電圧レベル１５１）からはずれたレベルに固定されてしまう。時定数が小さいほど無線復調信号１１３の波形に追従しやすい為、電圧レベル１５１と固定されたスライスレベル１１６，１１７，１１８との差は大きくなる（スライスレベル１１６の差が最大）。
【００２９】
図４の様にスイッチ１０４をＯＮしている期間を短くするとスライスレベル１１６は無線復調信号１１３の振幅の中点（電圧レベル１５１）よりも低いレベルに固定されてしまう。同様に、図７、図１０の場合も、スライスレベル１１７，１１８は無線復調信号１１３の振幅の中点（電圧レベル１５１）よりも低いレベルに固定されてしまう。
【００３０】
この様にスイッチ１０４をＯＮしている十分に期間が長く、その間０１のデータ（プリアンブル）が入力されている場合には、スライスレベル１１８（時定数大）をセレクタ部１０２で選択しコンパレータ１０１の（−）側入力に接続してやればよい。しかし、図１０の様にスイッチ１０４をＯＮする期間が０１のデータ（プリアンブル）の３回分の様に８回分より短い場合や図１１の様にスイッチ１０４をＯＮしている時間が十分に長くても０１のデータ（プリアンブル）が５回分しか入力されない場合は、スライスレベル１１８は無線復調信号１１３の振幅の中点（電圧レベル１５１）よりも低いレベルに固定されてしまう。従って、この様な場合は、０１のデータ（プリアンブル）の４回分で電圧レベル１５１に到達するスライスレベル１１６や６回分で到達するスライスレベル１１７をセレクタ部１０２で選択しコンパレータ１０１（−）側入力に接続してやらなければならない。
【００３１】
制御方法を説明すると、制御部１０５は、０１のデータ（プリアンブル）の８回分の入力で電圧レベル１５１に到達するスライスレベル１１８を選択する様にセレクタ部１０２を制御信号１１４で制御する。制御部１０５は、ベースバンド１１２から、０１のデータ（プリアンブル）に続く同期ワードのエラーを検出した場合には、０１のデータの回数が８回以下であると判断しスライスレベル１１７をセレクタ部１０２で選択する様に制御信号１１４で制御する。制御部１０５は、更に同期ワードのエラーを検出した場合には、０１のデータの回数が６回以下であると判断しスライスレベル１１６をセレクタ部１０２で選択する様に制御信号１１４で制御する。そして、ある一定の期間、同期ワードのエラーを検出しない場合は、スライスレベル１１６を選択している場合はスライスレベル１１７を、スライスレベル１１７を選択している場合はスライスレベル１１８を選択する様に、セレクタ部１０２を制御信号１１４で制御する事もできる。
【００３２】
ここではスライスレベルが３通りの場合を説明したが、スライスレベルを何通りにも細分化しその中からデータの０１の回数に応じた最適なスライスレベルを選択する事もできる。以下の実施の形態に於いても同様である。
【００３３】
（実施の形態２）
実施の形態１に於いて、制御部１０５は、０１のデータ（プリアンブル）の８回分の入力で電圧レベル１５１に到達するスライスレベル１１８を選択する様にセレクタ部１０２を制御信号１１４で制御する。制御部１０５は、ベースバンド１１２から、０１のデータ（プリアンブル）に続く制御データのエラーを検出した場合には、０１のデータの回数が８回以下であると判断しスライスレベル１１７をセレクタ部１０２で選択する様に制御信号１１４で制御する。制御部１０５は、更に制御データのエラーを検出した場合には、０１のデータの回数が６回以下であると判断しスライスレベル１１６をセレクタ部１０２で選択する様に制御信号１１４で制御する。そして、ある一定の期間、制御データのエラーを検出しない場合は、スライスレベル１１６を選択している場合はスライスレベル１１７を、スライスレベル１１７を選択している場合はスライスレベル１１８を選択する様に、セレクタ部１０２を制御信号１１４で制御する事もできる。
【００３４】
（実施の形態３）
実施の形態１または２に於いて、制御部１０５は、０１のデータ（プリアンブル）の８回分の入力で電圧レベル１５１に到達するスライスレベル１１８を選択する様にセレクタ部１０２を制御信号１１４で制御する。制御部１０５は、ベースバンド１１２から、０１のデータ（プリアンブル）に続く通話データのエラーを検出した場合には、０１のデータの回数が８回以下であると判断しスライスレベル１１７をセレクタ部１０２で選択する様に制御信号１１４で制御する。制御部１０５は、更に通話データのエラーを検出した場合には、０１のデータの回数が６回以下であると判断しスライスレベル１１６をセレクタ部１０２で選択する様に制御信号１１４で制御する。そして、ある一定の期間、通話データのエラーを検出しない場合は、スライスレベル１１６を選択している場合はスライスレベル１１７を、スライスレベル１１７を選択している場合はスライスレベル１１８を選択する様に、セレクタ部１０２を制御信号１１４で制御する事もできる。
【００３５】
（実施の形態４）
図１２は、本発明の実施の形態４のデータスライサのブロック図である。図１２に於いて、１０１は基準電圧と入力電圧との電圧レベルを比較し、その結果を出力するコンパレータ、１０９，１１０，１１１は抵抗、１０６，１０７，１０８はコンデンサ、１０３は抵抗１０９，１１０，１１１及びコンデンサ１０６，１０７，１０８からなる時定数回路部、２０３，２０４，２０５，２０６，２０７，２０８はスイッチ、２０１はスイッチ２０３，２０４，２０５からなる後段スイッチ部、２０２はスイッチ２０６，２０７，２０８からなる前段スイッチ部、１０５はベースバンド１１２を判定し後段スイッチ２０１及び前段スイッチ部２０２を制御する制御部、１１２はコンパレータ１０１から出力されるベースバンド、１１３は無線復調信号、１１４はスイッチ２０３，２０４，２０５のＯＮ／ＯＦＦを制御する為の制御信号、１１５はスイッチ２０６，２０７，２０８のＯＮ／ＯＦＦを制御する為の制御信号、１１６，１１７，１１８はそれぞれ抵抗１０９及びコンデンサ１０６、抵抗１１０及びコンデンサ１０７、抵抗１１１及びコンデンサ１０８で構成される時定数回路からの出力であるスライスレベルである。図２〜図１１及びその説明は、実施の形態１と同様である。
【００３６】
前記の様に構成されたデータスライサについて、以下動作を説明する。制御部１０５は、０１のデータ（プリアンブル）が入力されている期間のみ前段スイッチ部２０２を制御信号１１５で制御し、スイッチ２０６，２０７，２０８をＯＮする。そして、０１のデータ（プリアンブル）４回分の入力で電圧レベル１５１に到達するスライスレベル１１６をコンパレータ１０１の（−）側入力に接続する様に制御信号１１４で制御し、スイッチ２０３のみＯＮする。次に、制御部１０５は０１のデータ（プリアンブル）が６回連続して続くと、スライスレベル１１７をコンパレータ１０１の（−）側入力に接続する様に制御信号１１４で制御し、スイッチ２０４のみＯＮする。更に、制御部１０５は０１のデータ（プリアンブル）が８回以上連続して続くと、スライスレベル１１８をコンパレータ１０１の（−）側入力に接続する様に制御信号１１４で制御し、スイッチ２０５のみＯＮする。従って、コンパレータ１０１の（−）側入力は、ほぼ無線復調信号１１３の振幅の中点になっているので、ベースバンド１１２のデューティ比はほぼ５０％となる。
【００３７】
（実施の形態５）
実施の形態４に於いて、図２〜図１１及びその説明は、実施の形態１と同様である。便宜上、０１データ（プリアンブル）の５．５回分の期間だけスイッチ２０６がＯＮされているとスライスレベル１１６が電圧レベル１５１に到達する様に抵抗１０９及びコンデンサ１０６の値（時定数小）が、６回分の期間だけスイッチ２０７がＯＮされているとスライスレベル１１７が電圧レベル１５１に到達する様に抵抗１１０及びコンデンサ１０７の値（時定数中）が、６．５回分の期間だけスイッチ２０８がＯＮされているとスライスレベル１１８が電圧レベル１５１に到達する様に抵抗１１１及びコンデンサ１０８の値（時定数大）がそれぞれ決められているとする。
【００３８】
前記の様に構成されたデータスライサについて、以下動作を説明する。制御部１０５は、０１のデータ（プリアンブル）が入力されている期間のみ前段スイッチ部２０２を制御信号１１５で制御し、スイッチ２０６，２０７，２０８をＯＮする。同時にスイッチ２０４のみＯＮにする様に後段スイッチ部２０５を制御信号１１４で制御する。プリアンブルの期間が終了すると、スイッチ２０６，２０７，２０８をＯＦＦする様に前段スイッチ部２０２を制御信号１１５で制御する。そして、スイッチ２０６，２０７，２０８をＯＦＦするのと同時にスイッチ２０３，２０４，２０５を全てＯＮするように後段スイッチ部２０１を制御信号１１４で制御する。スイッチ２０３，２０４，２０５を全てＯＮする事により、スライスレベル１１６、スライスレベル１１７、スライスレベル１１８の電圧平均値をコンパレータ１０１の（−）側入力に接続する事ができ、これらの電圧の平均値はほぼ無線復調信号１１３の振幅の中点となり、ベースバンド１１２のデューティ比はほぼ５０％となる。
【００３９】
（実施の形態６）
実施の形態１〜５に於いて、図１〜図１２及びその説明は、実施の形態１〜５と同様である。便宜上、図１に於ける０１データ（プリアンブル）の４回分の期間だけスイッチ１０４がＯＮされているとスライスレベル１１６が電圧レベル１５１に到達する様に抵抗１０９及びコンデンサ１０６の値（時定数小）が、６回分の期間だけスイッチ１０４がＯＮされているとスライスレベル１１７が電圧レベル１５１に到達する様に抵抗１１０及びコンデンサ１０７の値（時定数中）が、８回分の期間だけスイッチ２０８がＯＮされているとスライスレベル１１８が電圧レベル１５１に到達する様に抵抗１１１及びコンデンサ１０８の値（時定数大）がそれぞれ決められているとする。また同様に、図３に於ける０１データ（プリアンブル）の４回分の期間だけスイッチ２０６がＯＮされているとスライスレベル１１６が電圧レベル１５１に到達する様に抵抗１０９及びコンデンサ１０６の値（時定数小）が、６回分の期間だけスイッチ２０７がＯＮされているとスライスレベル１１７が電圧レベル１５１に到達する様に抵抗１１０及びコンデンサ１０７の値（時定数中）が、８回分の期間だけスイッチ２０８がＯＮされているとスライスレベル１１８が電圧レベル１５１に到達する様に抵抗１１１及びコンデンサ１０８の値（時定数大）がそれぞれ決められているとする。
【００４０】
前記の様に構成されたデータスライサについて、以下動作を説明する。送信側の制御部（図示せず）との通信で送信する０１のデータ（プリアンブル）の回数を予め取り決めておき、送信されてくる０１のデータ（プリアンブル）の回数に応じたスライスレベルをコンパレータ１０１の（−）側入力に接続する。送信する０１のデータ（プリアンブル）の回数を６回とすると、スライスレベル１１７をコンパレータ１０１の（−）側入力に接続する様にセレクタ部１０２又は後段スイッチ部２０１を制御信号１１４で制御する。従って、０１のデータの回数に応じた最適な時定数の組み合わせを選択する事ができる。
【００４１】
【発明の効果】
以上の様に本発明によれば、従来の構成の他に様々な時定数を実現する時定数回路部、セレクタ部、前段スイッチ部、後段スイッチ部、制御部を設けた事により、電波状況に応じてスライスレベルを可変して制御し、最適なベースバンド信号を取り出す事ができる。
【図面の簡単な説明】
【図１】本発明の実施の形態１のデータスライサのブロック図
【図２】本発明の実施の形態１のデータスライサの無線復調信号、スライスレベル、ベースバンド信号、時定数との関係図
【図３】本発明の実施の形態１のデータスライサの無線復調信号、スライスレベル、ベースバンド信号、時定数との関係図
【図４】本発明の実施の形態１のデータスライサの無線復調信号、スライスレベル、ベースバンド信号、時定数との関係図
【図５】本発明の実施の形態１のデータスライサの無線復調信号、スライスレベル、ベースバンド信号、時定数との関係図
【図６】本発明の実施の形態１のデータスライサの無線復調信号、スライスレベル、ベースバンド信号、時定数との関係図
【図７】本発明の実施の形態１のデータスライサの無線復調信号、スライスレベル、ベースバンド信号、時定数との関係図
【図８】本発明の実施の形態１のデータスライサの無線復調信号、スライスレベル、ベースバンド信号、時定数との関係図
【図９】本発明の実施の形態１のデータスライサの無線復調信号、スライスレベル、ベースバンド信号、時定数との関係図
【図１０】本発明の実施の形態１のデータスライサの無線復調信号、スライスレベル、ベースバンド信号、時定数との関係図
【図１１】本発明の実施の形態１のデータスライサの無線復調信号、スライスレベル、ベースバンド信号、時定数との関係図
【図１２】本発明の実施の形態４のデータスライサのブロック図
【図１３】従来のデータスライサのブロック図
【図１４】従来のデータスライサの無線復調信号、スライスレベル、ベースバンド信号、時定数との関係図
【図１５】従来のデータスライサの無線復調信号、スライスレベル、ベースバンド信号、時定数との関係図
【図１６】従来のデータスライサの無線復調信号、スライスレベル、ベースバンド信号、時定数との関係図
【符号の説明】
１０１  コンパレータ
１０２  セレクタ部
１０３  時定数回路部
１０４  スイッチ
１０５  制御部
１０６〜１０８  コンデンサ
１０９〜１１１  抵抗
１１２  ベースバンド
１１３  無線復調信号
１１４，１１５  制御信号
１１６〜１１８  スライスレベル
【図１】
0003632327.tif 000002
【図２】
0003632327.tif 000003
【図３】
0003632327.tif 000004
【図４】
0003632327.tif 000005
【図５】
0003632327.tif 000006
【図６】
0003632327.tif 000007
【図７】
0003632327.tif 000008
【図８】
0003632327.tif 000009
【図９】
0003632327.tif 000010
【図１０】
0003632327.tif 000011
【図１１】
0003632327.tif 000012
【図１２】
0003632327.tif 000013
【図１３】
0003632327.tif 000014
【図１４】
0003632327.tif 000015
【図１５】
0003632327.tif 000016
【図１６】
0003632327.tif 000017